(57)【要約】【課題】光ディスク再生装置において、光検出器の各受光部から出力される検出信号のレベルを正確に調整して、光ディスクに記録された映像、音声等の情報を正確に再生する。【解決手段】全体制御部１０が、光検出器４４における各受光部からの検出信号Ａ〜Ｄを各配線２３を介して取り込んで、これらの検出信号を直接用いて、各受光部からの検出信号Ａ〜Ｄのゲインのレベルが同じレベルとなるように各ゲイン調整アンプ回路２１を制御するようにした。これにより、光検出器４４における各受光部からの検出信号Ａ〜Ｄを直接用いて、これらの検出信号Ａ〜Ｄのレベルに関するバランス調整を行うことができるので、光検出器４４の各受光部から出力される検出信号Ａ〜Ｄのレベルを正確に調整することができる。【選択図】      図２
2004220683.tif 000002
【特許請求の範囲】
【請求項１】
光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、前記光検出器の受光部が４つの領域に分割された分割フォトダイオードで構成された光ピックアップと、
前記光検出器から出力された信号に基づいて光ディスクに記録されている情報に対応したＲＦ信号と、前記対物レンズを介して光ディスク面に照射する光の集光点の光ディスク面に対するずれ量に対応する信号であるフォーカスエラー信号と、前記対物レンズを介して光ディスク面に照射する光の集光点の光ディスク面上におけるトラックからのずれ量に対応する信号であるトラッキングエラー信号とを生成する信号処理部と、
前記信号処理部から出力されたフォーカスエラー信号とトラッキングエラー信号とに基づいて対物レンズの位置を調整して、半導体レーザにより照射されるレーザ光の集光位置を調整するサーボ制御手段と、
前記信号処理部から出力されたＲＦ信号に基づいて光ディスクに記録された映像、音声等の情報を再生する情報再生手段と、
前記光ピックアップ、前記信号処理部、前記サーボ制御手段、及び前記情報再生手段を制御する制御手段とを備え、
前記信号処理部が非点収差法でフォーカスエラー信号を生成する光ディスク再生装置において、
前記光検出器における分割された各受光部からの検出信号のレベルを調整するレベル調整手段をさらに備え、
前記レベル調整手段は、前記各受光部からの各検出信号のレベルを調整するための複数のアンプ回路と、これら各アンプ回路から出力された各アナログ信号をデジタル信号に変換する複数のＡ／Ｄコンバータと、これら各Ａ／Ｄコンバータから出力された各デジタル信号を前記制御手段に取り込むための複数の配線とを有し、
前記制御手段は、前記各配線を介して前記各Ａ／Ｄコンバータから取り込んだ各デジタル信号に基づいて、前記各アンプ回路から出力される各アナログ信号のレベルが同じレベルとなるように前記各アンプ回路を制御するようにしたことを特徴とする光ディスク再生装置。
【請求項２】
光ディスクに対して光を照射する照射手段と、この照射手段から光ディスクに対して照射された光に対する光ディスク面からの反射光を検出する光検出手段とを有し、前記光検出手段の受光部が複数の領域に分割された読取手段と、
前記光検出手段から出力された信号に基づいて光ディスクに記録されている情報に対応した読取信号と、光ディスク面に照射する光の集光点の光ディスク面に対するずれ量に対応する信号であるフォーカスエラー信号と、光ディスク面に照射する光の集光点の光ディスク面上におけるトラックからのずれ量に対応する信号であるトラッキングエラー信号とを生成する信号処理手段と、
前記信号処理手段から出力されたフォーカスエラー信号とトラッキングエラー信号とに基づいて照射手段により照射される光の集光位置を調整するサーボ制御手段と、
前記信号処理手段から出力された読取信号に基づいて光ディスクに記録された映像、音声等の情報を再生する情報再生手段と、
前記読取手段、前記信号処理手段、前記サーボ制御手段、及び前記情報再生手段を制御する制御手段とを備えた光ディスク再生装置において、
前記光検出手段における分割された各受光部からの検出信号のレベルを調整するレベル調整手段をさらに備え、
前記レベル調整手段は、前記各受光部からの各検出信号のレベルを調整するための複数のアンプ回路と、これら各アンプ回路から出力された信号を前記制御手段に取り込むための複数の配線とを有し、
前記制御手段は、前記各配線を介して前記各アンプ回路から取り込んだ信号に基づいて、前記各アンプ回路から出力される各信号のレベルが同じレベルとなるように前記各アンプ回路を制御するようにしたことを特徴とする光ディスク再生装置。
【請求項３】
前記光検出手段の受光部は４つの領域に分割されており、前記信号処理手段は非点収差法でフォーカスエラー信号を生成することを特徴とする請求項２に記載の光ディスク再生装置。
【請求項４】
光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、前記光検出器の受光部が４つの領域に分割された分割フォトダイオードで構成された光ピックアップと、
前記光検出器から出力された信号に基づいて各種の信号を生成する信号処理部と、
前記信号処理部から出力された信号に基づいて対物レンズの位置を調整して、前記半導体レーザにより照射されるレーザ光の集光位置を調整するサーボ制御手段と、
前記信号処理部から出力された信号に基づいて光ディスクに記録された映像、音声等の情報を再生する情報再生手段と、
前記光ピックアップ、前記信号処理部、前記サーボ制御手段、及び前記情報再生手段を制御する制御手段とを備えた光ディスク再生装置に適用される光検出信号のレベル調整方法であって、
フォーカシングサーボのオープンループ状態において、
前記制御手段が、前記サーボ制御手段に対してフォーカスサーチ動作を行うように指示するステップと、
前記指示に基づいて、前記サーボ制御手段が、前記対物レンズと光ディスク面との距離を変更しながらフォーカスサーチ動作を行うステップと、
前記フォーカスサーチ動作が行われているときに、前記制御手段が、前記光検出器の各受光部から出力された検出信号をデジタル信号の形式で取り込むステップと、
前記制御手段が、前記取り込んだ検出信号に基づいて、前記各受光部から出力される各検出信号のレベルが同じレベルとなるように調整するステップとからなることを特徴とする光検出信号のレベル調整方法。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｃ）等の光ディスクに記録された映像、音声等の情報を読み取って、これらの情報を再生する光ディスク再生装置と同装置に適用される光検出信号のレベル調整方法に係り、特に光ピックアップ内の光検出器から出力された検出信号を補正する技術に関する。
【０００２】
【従来の技術】
従来より、ＣＤ（Ｃｏｍｐａｃｔ  Ｄｉｓｃ），ＬＤ（Ｌａｓｅｒ  Ｄｉｓｃ），ＤＶＤ−ＲＯＭ（ＤＶＤ−Ｒｅａｄ  Ｏｎｌｙ  Ｍｅｍｏｒｙ），ＭＤ（Ｍｉｎｉ  Ｄｉｓｃ）等の光ディスクに記録された画像、音声、文字等の情報を再生する光ディスク再生装置では、光ディスク面上に照射されたレーザ光に対する光ディスク面からの反射光を光ピックアップ内の光検出器により電気信号に変換して、この電気信号に基づいて光ディスクに記録されている情報の読み取りと光ディスク面に照射する光の集光点に関するずれの補正を行っている。例えば、非点収差法によるフォーカシングサーボ機構に用いられる受光部が４つの領域に分割された光検出器は、各受光部に対応した４つの検出信号を出力する。そして、これらの信号に基づいて、ＲＦ信号、フォーカスエラー信号、トラッキングエラー信号等の各種の信号を生成している。
【０００３】
ところが、光ピックアップ内における光検出器の貼り付けが機械的に行われるために、光検出器の各受光部で検出した４つの検出信号のレベルが異なる場合がある。この現象は、一般的にＰＤ（Ｐｈｏｔｏｄｅｔｅｃｔｏｒ）バランスズレと呼ばれる。このＰＤバランスズレに起因して、正確なフォーカスエラーの検出やトラッキングエラーの検出を行うことができない場合があった。そこで、この種の装置では、一般的にフォーカスエラー信号、トラッキングエラー信号等の光検出器から出力された検出信号を加工した信号を用いて、上記４つの検出信号のレベルに関するバランス調整を行うようにしていた。
【０００４】
また、光ディスク面からの反射光を分割して２つの受光部で受光し、これらの受光部における検出信号に基づいてフォーカスエラー信号を生成する光ディスク装置において、高精度なフォーカスエラー信号を得ることを目的として、各受光部における検出信号の差信号をこれらの信号の和信号を用いてレベル調整する方法によりフォーカスエラー信号を調整するようにしたものが知られている（例えば、特許文献１参照）。また、２つの２分割光検出器を有し、これらの検出器からの出力信号に基づいてトラッキングエラー信号を生成するトラッキングエラー信号生成装置の分野において、トラッキングサーボ系をオープンループ状態として対物レンズをトラッキング方向に駆動したときに、各２分割光検出器から得られる各出力信号波形に基づいて、各２分割光検出器からの検出信号の増幅器のゲインを設定して増幅し、その結果得られたトラッキングエラー信号と対物レンズ位置信号との差分をとる方法により、トラッキングエラー信号を補正するものが知られている（例えば、特許文献２参照）。
【０００５】
【特許文献１】
特許第２８７４６３３号公報（第１−３頁、図１−３）
【特許文献２】
特開平５−３１４５２２号公報（第１−７頁、図１−２）
【０００６】
【発明が解決しようとする課題】
しかしながら、上記のような従来の光検出器からの検出信号を加工した信号を用いて光検出器の各受光部で検出した検出信号のレベルに関するバランス調整を行う光ディスク再生装置では、光検出器の各受光部から出力された検出信号を直接用いてこれらの検出信号のレベルに関するバランス調整を行っていないため、各受光部から出力される検出信号のレベルを正確に調整することができないという問題があった。また、上記特許文献１及び特許文献２に示される発明では、各受光部から出力される検出信号のレベル自体を正確に調整することはできない。
【０００７】
本発明は、上記の問題を解決するためになされたものであり、光検出器の各受光部から出力される検出信号のレベルを正確に調整することができるようにして、光検出器の各受光部から出力される検出信号のＳ／Ｎ比を高め、光ディスクに記録された映像、音声等の情報を正確に再生することが可能な光ディスク再生装置と同装置に適用される光検出信号のレベル調整方法を提供することを目的とする。
【０００８】
【課題を解決するための手段】
上記目的を達成するために請求項１の発明は、光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、光検出器の受光部が４つの領域に分割された分割フォトダイオードで構成された光ピックアップと、光検出器から出力された信号に基づいて光ディスクに記録されている情報に対応したＲＦ信号と、対物レンズを介して光ディスク面に照射する光の集光点の光ディスク面に対するずれ量に対応する信号であるフォーカスエラー信号と、対物レンズを介して光ディスク面に照射する光の集光点の光ディスク面上におけるトラックからのずれ量に対応する信号であるトラッキングエラー信号とを生成する信号処理部と、信号処理部から出力されたフォーカスエラー信号とトラッキングエラー信号とに基づいて対物レンズの位置を調整して、半導体レーザにより照射されるレーザ光の集光位置を調整するサーボ制御手段と、信号処理部から出力されたＲＦ信号に基づいて光ディスクに記録された映像、音声等の情報を再生する情報再生手段と、光ピックアップ、信号処理部、サーボ制御手段、及び情報再生手段を制御する制御手段とを備え、信号処理部が非点収差法でフォーカスエラー信号を生成する光ディスク再生装置において、光検出器における分割された各受光部からの検出信号のレベルを調整するレベル調整手段をさらに備え、レベル調整手段は、各受光部からの各検出信号のレベルを調整するための複数のアンプ回路と、これら各アンプ回路から出力された各アナログ信号をデジタル信号に変換する複数のＡ／Ｄコンバータと、これら各Ａ／Ｄコンバータから出力された各デジタル信号を制御手段に取り込むための複数の配線とを有し、制御手段は、各配線を介して各Ａ／Ｄコンバータから取り込んだ各デジタル信号に基づいて、各アンプ回路から出力される各アナログ信号のレベルが同じレベルとなるように各アンプ回路を制御するようにしたものである。
【０００９】
上記構成においては、制御手段が、光検出器における各受光部からの検出信号をデジタル信号の形式に変換した上で各配線を介して取り込み、これらの検出信号を直接用いて、各受光部からの検出信号に対応した各アンプ回路からの出力信号のレベルが同じレベルとなるように各アンプ回路を制御する。これにより、光検出器における各受光部からの検出信号を直接用いて、これらの検出信号のレベルに関するバランス調整を行うことができるので、光検出器の各受光部から出力される検出信号のレベルを正確に調整することができる。従って、これらの検出信号に基づいて、信号処理部が正確なＲＦ信号とフォーカスエラー信号とトラッキングエラー信号とを生成することができるので、サーボ制御手段が、信号処理部から出力されたフォーカスエラー信号とトラッキングエラー信号とに基づいて正確なフォーカシングサーボ制御とトラッキングサーボ制御とを行うことができ、また、情報再生手段が信号処理部から出力されたＲＦ信号に基づいて正確に映像、音声等の情報の再生を行うことができる。
【００１０】
また、請求項２の発明は、光ディスクに対して光を照射する照射手段と、この照射手段から光ディスクに対して照射された光に対する光ディスク面からの反射光を検出する光検出手段とを有し、光検出手段の受光部が複数の領域に分割された読取手段と、光検出手段から出力された信号に基づいて光ディスクに記録されている情報に対応した読取信号と、光ディスク面に照射する光の集光点の光ディスク面に対するずれ量に対応する信号であるフォーカスエラー信号と、光ディスク面に照射する光の集光点の光ディスク面上におけるトラックからのずれ量に対応する信号であるトラッキングエラー信号とを生成する信号処理手段と、信号処理手段から出力されたフォーカスエラー信号とトラッキングエラー信号とに基づいて照射手段により照射される光の集光位置を調整するサーボ制御手段と、信号処理手段から出力された読取信号に基づいて光ディスクに記録された映像、音声等の情報を再生する情報再生手段と、読取手段、信号処理手段、サーボ制御手段、及び情報再生手段を制御する制御手段とを備えた光ディスク再生装置において、光検出手段における分割された各受光部からの検出信号のレベルを調整するレベル調整手段をさらに備え、レベル調整手段は、各受光部からの各検出信号のレベルを調整するための複数のアンプ回路と、これら各アンプ回路から出力された信号を制御手段に取り込むための複数の配線とを有し、制御手段は、各配線を介して各アンプ回路から取り込んだ信号に基づいて、各アンプ回路から出力される各信号のレベルが同じレベルとなるように各アンプ回路を制御するようにしたものである。
【００１１】
この構成においては、制御手段が、光検出器における各受光部からの検出信号を各配線を介して取り込んで、これらの検出信号を直接用いて、各受光部からの検出信号に対応した各アンプ回路からの出力信号のレベルが同じレベルとなるように各アンプ回路を制御する。これにより、光検出器の各受光部から出力される検出信号のレベルを正確に調整することができるので、上記請求項１と同様な作用を得ることができる。
【００１２】
また、請求項３の発明は、請求項２の発明において、光検出手段の受光部が４つの領域に分割されており、信号処理手段が非点収差法でフォーカスエラー信号を生成するものである。この構成においては、非点収差法でフォーカスエラー信号を生成する方式の光ディスク再生装置において、上記と同様な作用を得ることができる。
【００１３】
また、請求項４の発明は、光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、光検出器の受光部が４つの領域に分割された分割フォトダイオードで構成された光ピックアップと、光検出器から出力された信号に基づいて各種の信号を生成する信号処理部と、信号処理部から出力された信号に基づいて対物レンズの位置を調整して、半導体レーザにより照射されるレーザ光の集光位置を調整するサーボ制御手段と、信号処理部から出力された信号に基づいて光ディスクに記録された映像、音声等の情報を再生する情報再生手段と、光ピックアップ、信号処理部、サーボ制御手段、及び情報再生手段を制御する制御手段とを備えた光ディスク再生装置に適用される光検出信号のレベル調整方法であって、フォーカシングサーボのオープンループ状態において、制御手段が、サーボ制御手段に対してフォーカスサーチ動作を行うように指示するステップと、この指示に基づいて、サーボ制御手段が、対物レンズと光ディスク面との距離を変更しながらフォーカスサーチ動作を行うステップと、フォーカスサーチ動作が行われているときに、制御手段が、光検出器の各受光部から出力された検出信号をデジタル信号の形式で取り込むステップと、制御手段が、取り込んだ検出信号に基づいて、各受光部から出力される各検出信号のレベルが同じレベルとなるように調整するステップとからなるものである。この方法により、上記と同様な作用を得ることができる。
【００１４】
【発明の実施の形態】
以下、本発明を具体化した実施形態について図面を参照して説明する。図１は、本実施形態によるＤＶＤプレイヤ（光ディスク再生装置）の電気的ブロック構成を示す。このＤＶＤプレイヤ１は、ＤＶＤ（Ｄｉｇｉｔａｌ  Ｖｅｒｓａｔｉｌｅ  Ｄｉｓｃ）２に記録されている映像、音声等の圧縮データを読み取って映像、音声等を再生する装置であり、非点収差法でフォーカスエラー信号を生成する方式のものである。
【００１５】
上記のＤＶＤプレイヤ１は、トレイに装着されたＤＶＤ２を回転駆動するスピンドルモータ３、ＤＶＤ２に記録されている情報をＲＦ信号の形式で出力する光ピックアップ４、光ピックアップ４をＤＶＤ２の半径方向に移動させるための移動モータ５、光ピックアップ４の半導体レーザ４１を制御するためのレーザ駆動部６、光ピックアップ４の光検出器４６における分割された各受光部（図４中のａ〜ｄ参照）からの検出信号（ゲイン）のレベルを調整するゲイン制御部１４（レベル調整手段）、及び光検出器４６の各受光部から出力された信号に基づいて各種の信号を生成する信号処理部７を備えている。また、ＤＶＤプレイヤ１は、光ピックアップ４の対物レンズ４４の位置を制御するためのサーボ制御部８、上記の信号処理部７から出力されるデータに所定のデコード処理を施して映像信号及び音声信号を生成するデコーダ９、装置全体の制御を行う全体制御部１０（制御手段）、装置本体に対して再生・停止等の指示や各種の設定を行うためのリモコン１１、リモコン１１からの信号を受信するリモコン受信部１２、及び各種のメッセージを表示する表示部１３を備えている。
【００１６】
上記の光ピックアップ４は、半導体レーザ４１、コリメータレンズ４２、ビームスプリッタ４３、対物レンズ４４、集光レンズ４５、光検知器４６等で構成されている。半導体レーザ４１は、全体制御部１０から出力される信号に基づいて、レーザ駆動部６によりその発光が制御される。半導体レーザ４１から出力されたレーザ光は、コリメータレンズ４２、ビームスプリッタ４３及び対物レンズ４４を介してＤＶＤ２上に集光される。また、ＤＶＤ２からの反射光は、対物レンズ４４を介してビームスプリッタ４３に入射し、光軸を９０度曲げられた後、集光レンズ４５により光検知器４６上に集光される。
【００１７】
対物レンズ４４は、レンズホルダ４７に保持されている。レンズホルダ４７の近傍には、磁気作用によりレンズホルダ４７を対物レンズ４４の光軸方向に移動させるためのフォーカシングコイル４８と、磁気作用によりレンズホルダ４７をＤＶＤ２の半径方向に移動させるためのトラッキングコイル４９が設けられている。フォーカシングコイル４８及びトラッキングコイル４９は、それぞれサーボ制御部８により制御され、レンズホルダ４７及びその上に保持された対物レンズ４４の位置を微調整する。
【００１８】
上記の信号処理部７は、光検知器４６から出力された信号に基づいて、ＤＶＤ２に記録されている情報に対応したＲＦ信号と、対物レンズ４４を介してＤＶＤ２のディスク面に照射する光の集光点のディスク面に対するずれ量に対応する信号であるフォーカスエラー信号と、対物レンズ４４を介してＤＶＤ２のディスク面に照射する光の集光点のディスク面上におけるトラックからのずれ量に対応する信号であるトラッキングエラー信号とを生成する。
【００１９】
上記のサーボ制御部８は、信号処理部７から出力されたフォーカスエラー信号とトラッキングエラー信号とに基づいて対物レンズ４４の位置を調整して、半導体レーザ４１により照射されるレーザ光の集光位置を調整する。
【００２０】
次に、図１中のゲイン制御部１４について図２を参照して説明する。ゲイン制御部１４は、光検出器４６の各受光部から出力された各検出信号Ａ〜Ｆのレベルを調整するための６つのゲイン調整アンプ回路２１と、各ゲイン調整アンプ回路２１から出力された各アナログ信号をデジタル信号に変換する６つのＡ／Ｄコンバータ２２と、各Ａ／Ｄコンバータ２２から出力されたデジタル信号を全体制御部１０に取り込むための６つの配線２３とを有している。
【００２１】
上記の構成において、全体制御部１０は、上記の各配線２３を介して各Ａ／Ｄコンバータ２２から取り込んだ各デジタル信号に基づいて、各ゲイン調整アンプ回路２１から出力される各アナログ信号のレベルが同じレベルとなるように各ゲイン調整アンプ回路２１を制御する。これにより、光検出器４６における各受光部からの検出信号を直接用いて、これらの検出信号のレベルに関するバランス調整を行うことができるので、光検出器４６の各受光部から出力される検出信号のレベルを正確に調整することができる。従って、これらの検出信号に基づいて、信号処理部７が正確なＲＦ信号とフォーカスエラー信号とトラッキングエラー信号とを生成することができるので、サーボ制御部８（図１参照）が、信号処理部７から出力されたフォーカスエラー信号とトラッキングエラー信号とに基づいて正確なフォーカシングサーボ制御とトラッキングサーボ制御とを行うことができる。また、デコーダ９が信号処理部７から出力されたＲＦ信号に基づいて正確に映像、音声等の情報の再生を行うことができる。
【００２２】
次に、図２中のゲイン調整アンプ回路２１の構成例について図３を参照して説明する。図に示される構成例では、ゲイン調整アンプ回路２１は、光検出器４６の各受光部から出力された検出信号を入力するための入力端子３３と、アース側の入力端子３４と、抵抗Ｒと、オペアンプ３１と、抵抗Ｒ１〜Ｒｎと、抵抗Ｒ１〜Ｒｎを切り換えるためのスイッチ３２と、出力端子３５とから構成されている。この構成においては、スイッチ３２で抵抗Ｒ１〜Ｒｎを切り換えることにより、出力端子３５から出力されるゲインのレベルをＲ１／Ｒ〜Ｒｎ／Ｒのｎ段階に切り換えることができる。
【００２３】
次に、図１中の光検出器４６について図４を参照して説明する。光検知器４６は、メインビーム５２を受光して４つの受光部ａ，ｂ，ｃ，ｄにおける検出信号を生成する４分割受光部５１と、この４分割受光部５１の略トラック接線方向両端に配置されて、サブビーム５３，５４を受光してトラッキングエラー信号を生成する一対の受光部ｅ，ｆとを有している。これらの各受光部ａ，ｂ，ｃ，ｄ，ｅ，ｆにおける検出信号が、図２中の各信号Ａ，Ｂ，Ｃ，Ｄ，Ｅ，Ｆに相当する。
【００２４】
次に、上記図１乃至図４に加えて図５のフローチャートを参照して、フォーカシングサーボ系をオープンループ状態にしてフォーカスサーチをした場合における上記光検出器４６からの各検出信号のゲインレベル調整処理について説明する。全体制御部１０が、フォーカシングサーボ系をオープンループ状態にして、サーボ制御部８に対してフォーカスサーチ動作を開始するように指示すると、サーボ制御部８は、対物レンズ４４とＤＶＤ２のディスク面との距離を変更しながらフォーカスサーチ動作を開始する（Ｓ１）。そして、全体制御部１０は、サーボ制御部８によるフォーカスサーチ動作の開始を検知すると、光検出器４６の各受光部ａ〜ｆから出力された検出信号Ａ〜Ｆを信号処理部７に送る。信号処理部７は、これらの信号Ａ〜Ｆのうちの信号Ａ〜Ｄを用いて非点収差法でフォーカスエラー信号を生成する。このフォーカスエラー信号は、光検出器４６からの検出信号Ａ〜Ｄのゲインが、（Ａ＋Ｃ）＝（Ｂ＋Ｄ）の関係を充たすときに、０のレベルとなる。全体制御部１０は、信号処理部７から出力されるフォーカスエラー信号が０のレベルになると（Ｓ２でＹＥＳ）、光検出器４６の各受光部ａ〜ｆから出力された検出信号Ａ〜Ｆ（ピックアップ出力信号）を配線２３を介して取り込んで（Ｓ３）、これらの検出信号Ａ〜Ｆのゲインが全て目標のレベルとなるように、各ゲイン調整アンプ回路２１を制御する（Ｓ４）。
【００２５】
上記Ｓ４に示されるゲインレベルの調整において、全体制御部１０は、検出信号Ａ〜Ｄのゲインレベルが全て同じレベルとなるように制御する。この理由について図６及び図７を参照して説明する。検出信号Ａ〜Ｄのゲインが、上記Ｓ２に示される（Ａ＋Ｃ）＝（Ｂ＋Ｄ）の関係を充たすときには、通常は、図６に示されるように、４分割受光部５１における２つの仕切線６１の交点６２は、メインビーム５２の中心点と一致する。そして、この場合には、検出信号Ａ〜Ｄのゲインに関して、Ａ＝Ｂ＝Ｃ＝Ｄの関係が成立する。ところが、光ピックアップ４内における光検出器４６の貼り付けが機械的に行われるために、図７に示されるように、（Ａ＋Ｃ）＝（Ｂ＋Ｄ）の関係が成立する場合であっても、光検出器４６の各受光部ａ〜ｆで検出した各検出信号Ａ〜Ｄのゲインのレベルが異なる場合がある。このような場合には、検出信号Ａ〜Ｄに基づいて、正確なフォーカスエラー信号を生成することができないので、正確なフォーカシングサーボ制御を行うことができない。そこで、全体制御部１０は、検出信号Ａ〜Ｄのゲインレベルが全て同じレベルとなるように制御するのである。
【００２６】
上記Ｓ４に示されるゲインレベルの調整が終了すると、全体制御部１０は、図５のフローチャートに示されるように、再度フォーカスサーチ動作を開始し（Ｓ５）、検出信号Ａ〜Ｄのゲインに関して、Ａ＝Ｂ＝Ｃ＝Ｄの関係が成立した時点で（Ｓ６でＹＥＳ）、フォーカスオンの状態に移行する（Ｓ７）。
【００２７】
次に、図８のフローチャートを参照して、フォーカシングサーボ系をクローズループ状態にしてフォーカシングサーボ制御を行った場合における上記光検出器４６からの各検出信号のゲインレベル調整処理について説明する。上記図５中のＳ７におけるフォーカスオンの状態になると、全体制御部１０は、フォーカスオン状態を維持するように、フォーカシングサーボ制御を行う（Ｓ１１）。そして、信号処理部７から送られたフォーカスエラー信号が０のレベルの場合、すなわち、検出信号Ａ〜Ｄのゲインが（Ａ＋Ｃ）＝（Ｂ＋Ｄ）の関係を充たす場合は（Ｓ１２でＹＥＳ）、光検出器４６の各受光部ａ〜ｄから出力された検出信号Ａ〜Ｄを配線２３を介して取り込んで（Ｓ１３）、検出信号Ａ〜Ｄのゲインのレベルが全て同じになるように、ゲイン調整アンプ回路２１によりこれらの信号のゲインを微調整する（Ｓ１４）。次に、全体制御部１０は、光検出器４６の各受光部ｅ，ｆから出力された検出信号Ｅ，Ｆを配線２３を介して取り込んで、検出信号Ｅと検出信号Ｆのゲインのレベルが同じになるように、ゲイン調整アンプ回路２１によりこれらの信号のゲインを調整する（Ｓ１５）。
【００２８】
次に、図９のフローチャートを参照して、上記光検出器４６の各受光部ａ〜ｄから出力される検出信号Ａ〜Ｄを用いて光ピックアップ４の故障判定を行う方法について説明する。ＤＶＤプレイヤ１の工場出荷時等において、作業者が、信号レベルの分かっているＤＶＤ２のディスクを装置内部に挿入して、リモコン１１等により故障判定処理の開始を指示すると、全体制御部１０は、ＤＶＤ２に記録された情報の再生を開始し（Ｓ２１）、光検出器４６の各受光部ａ〜ｄから出力された検出信号Ａ〜Ｄを配線２３を介して取り込んで（Ｓ２２）、各検出信号Ａ〜Ｄのゲインを全て加算したＭの値が所定のレベルを超えるか否かをチェックする（Ｓ２３，Ｓ２４）。そして、Ｍの値が所定のレベルを超えたときは（Ｓ２４でＹＥＳ）、光ピックアップ４が正常に動作していると判断して、表示部１３上に光ピックアップ４が正常である旨を表示し（Ｓ２５）、逆に、Ｍの値が所定のレベル以下のときは（Ｓ２４でＮＯ）、光ピックアップ４が正常に動作していないと判断して、表示部１３上に光ピックアップ４が不良である旨を表示する（Ｓ２６）。
【００２９】
上述したように、本実施形態によるＤＶＤプレイヤ１によれば、光検出器４４における各受光部ａ〜ｄからの検出信号Ａ〜Ｄを直接用いて、これらの検出信号Ａ〜Ｄのレベルが同じレベルとなるように各ゲイン調整アンプ回路２１を制御するようにしたことにより、光検出器４４の各受光部ａ〜ｄから出力される検出信号Ａ〜Ｄのレベルを正確に調整することができる。これにより、これらの検出信号Ａ〜ＤのＳ／Ｎ比を高めることができるので、これらの検出信号Ａ〜Ｄに基づいて、正確なＲＦ信号やフォーカスエラー信号を生成することができる。従って、これらのフォーカスエラー信号に基づいて正確なフォーカシングサーボ制御を行うことができ、また、上記のＲＦ信号に基づいて正確に映像、音声等の情報の再生を行うことができる。
【００３０】
なお、本発明は、上記実施形態に限られるものではなく、様々な変形が可能である。例えば、本実施形態では、ゲイン制御部１４における各ゲイン調整アンプ回路２１をアナログ回路で構成して各Ａ／Ｄコンバータ２２の前段に配した場合の例を示したが、各ゲイン調整アンプ回路２１をディジタル回路で構成して各Ａ／Ｄコンバータ２２の後段に配してもよい。また、各ゲイン調整アンプ回路２１の構成は、上記図３に示される構成に限らず、出力するゲインのレベルを多段階に切り換えることができるものであればよい。さらにまた、上記実施形態では、光検出器４６におけるメインビーム５２の受光部５１として受光部が４つの領域に分割された４分割受光部５１を用いた場合の例を示したが、光検出器におけるメインビームの受光部はこれに限られず、受光部が複数の領域に分割されたものであればよい。また、上記実施形態では、光検出器４６がサブビーム５３，５４の受光部ｅ，ｆを有する場合の例を示したが、サブビームの受光部を有さないものであってもよい。
【００３１】
【発明の効果】
以上説明したように請求項１の発明によれば、光検出器における各受光部からの検出信号を直接用いて、各受光部からの検出信号のレベルが同じレベルとなるように各アンプ回路を制御するようにしたことにより、光検出器の各受光部から出力される検出信号のレベルを正確に調整することができる。これにより、これらの検出信号のＳ／Ｎ比を高めることができるので、これらの検出信号に基づいて、正確なＲＦ信号、フォーカスエラー信号及びトラッキングエラー信号を生成することができる。従って、これらのフォーカスエラー信号とトラッキングエラー信号信号とに基づいて正確なフォーカシングサーボ制御とトラッキングサーボ制御とを行うことができ、また、上記のＲＦ信号に基づいて正確に映像、音声等の情報の再生を行うことができる。
【００３２】
また、請求項２の発明によれば、光検出器における各受光部からの検出信号を各配線を介して取り込んで、これらの検出信号を直接用いて、各受光部からの検出信号のレベルが同じレベルとなるように各アンプ回路を制御するようにしたことにより、光検出器の各受光部から出力される検出信号のレベルを正確に調整することができる。これにより、上記請求項１に記載の効果と同等の効果を得ることができる。
【００３３】
また、請求項３の発明によれば、光検出手段の受光部が４つの領域に分割されており、信号処理手段が非点収差法でフォーカスエラー信号を生成するものとしたことにより、上記に記載の効果を的確に得ることができる。
【００３４】
また、請求項４の発明によれば、フォーカスサーチ動作が行われているときに、光検出器の各受光部から出力された検出信号をデジタル信号の形式で取り込むステップと、取り込んだ検出信号に基づいて、各受光部から出力される各検出信号のレベルが同じレベルとなるように調整するステップとを有するものとしたことにより、上記と同等の効果を得ることができる。
【図面の簡単な説明】
【図１】本発明の一実施形態に係る光ディスク再生装置の電気的ブロック構成図。
【図２】図１中のゲイン制御部の構成を示す図。
【図３】図２中のゲイン調整アンプ回路の構成例を示す図。
【図４】図１中の光検出器の説明図。
【図５】オープンループ状態でフォーカスサーチをした場合における上記光検出器からの各検出信号のゲインレベル調整処理を示すフローチャート。
【図６】検出信号Ａ〜Ｄのゲインに関してＡ＝Ｂ＝Ｃ＝Ｄの関係が成立する場合における４分割受光部へのメインビームの照射位置を示す図。
【図７】検出信号Ａ〜Ｄのゲインに関して（Ａ＋Ｃ）＝（Ｂ＋Ｄ）の関係が成立する場合における４分割受光部へのメインビームの照射位置を示す図。
【図８】クローズループ状態でフォーカシングサーボ制御を行った場合における上記光検出器からの各検出信号のゲインレベル調整処理を示すフローチャート。
【図９】光検出器の各受光部から出力される検出信号を用いた光ピックアップの故障判定処理を示すフローチャート。
【符号の説明】
１      ＤＶＤプレイヤ（光ディスク再生装置）
４      光ピックアップ（読取手段）
７      信号処理部（信号処理手段）
８      サーボ制御部（サーボ制御手段）
９      デコーダ（情報再生手段）
１０    全体制御部（制御手段）
１４    ゲイン制御部（レベル調整手段）
２１    ゲイン調整アンプ回路（アンプ回路）
２２    Ａ／Ｄコンバータ
２３    配線
４１    半導体レーザ（照射手段）
４４    対物レンズ
４６    光検出器（光検出手段）
【図１】
2004220683.tif 000003
【図２】
2004220683.tif 000004
【図３】
2004220683.tif 000005
【図４】
2004220683.tif 000006
【図５】
2004220683.tif 000007
【図６】
2004220683.tif 000008
【図７】
2004220683.tif 000009
【図８】
2004220683.tif 000010
【図９】
2004220683.tif 000011